(57)【要約】【課題】  コピー開始前に手差し転写用紙サイズの指定を手動で行わなくても、自動で手差しコピーの用紙サイズ別ロギングを行うことができる画像形成装置を提供する。【解決手段】  操作制御手段により手差し転写用紙が選択され、原稿搬送手段に原稿が挿入され転写が行われる場合に、原稿サイズ検出手段により検出された原稿主走査サイズを手差し転写用紙の主走査サイズと認識すると共に、転写用紙サイズ検出手段によって検出された実際に転写される手差し転写用紙の副走査長さを手差し転写用紙の副走査サイズと認識するシステム制御手段を具備し、前記システム制御手段が、前記認識された手差し転写用紙の主走査サイズと副走査サイズに基づいて前記手差し転写用紙の大きさ別に前記手差し転写用紙の枚数をカウントするカウンタの更新を行う構成となっている。【選択図】      図３
2006065252.tif 000002
【特許請求の範囲】
【請求項１】
原稿より画像データを読み取って転写用紙上に転写定着して画像を形成する画像形成装置であって、
手差し転写用紙を使用する手差し転写モード等を指定する操作制御手段と、
手差し転写用紙等の給紙を行う給紙搬送手段と、
前記転写用紙の副走査長さを検出する転写用紙サイズ検出手段と、
前記原稿の搬送を行う原稿搬送手段と、
前記原稿の主走査方向のサイズを検出する原稿サイズ検出手段と、
前記原稿を読み取って画像データを得る原稿読み取り手段と、
前記原稿読み取り手段で読み取った画像データを画像処理して画像記憶手段に記憶する画像処理手段と、
前記画像記憶手段から画像データを取り出し転写用紙上に転写して定着する画像転写定着手段と、
前記操作制御手段により手差し転写用紙が選択され、前記原稿搬送手段に原稿が挿入され転写が行われる場合に、前記原稿サイズ検出手段により検出された原稿主走査サイズを手差し転写用紙の主走査サイズと認識すると共に、前記転写用紙サイズ検出手段によって検出された実際に転写される手差し転写用紙の副走査長さを手差し転写用紙の副走査サイズと認識するシステム制御手段と、を具備し、
前記システム制御手段が、前記認識された手差し転写用紙の主走査サイズと副走査サイズに基づいて前記手差し転写用紙の大きさ別に前記手差し転写用紙の枚数をカウントするカウンタの更新を行うことを特徴とする画像形成装置。
【請求項２】
原稿より画像データを読み取って転写用紙上に転写定着して画像を形成する画像形成装置であって、
手差し転写用紙を使用する手差し転写モード等を指定すると共に、コピー変倍率を設定する操作制御手段と、
手差し転写用紙等の給紙を行う給紙搬送手段と、
前記転写用紙の副走査長さを検出する転写用紙サイズ検出手段と、
前記原稿の搬送を行う原稿搬送手段と、
前記原稿の主走査方向のサイズを検出する原稿サイズ検出手段と、
前記原稿を読み取って画像データを得る原稿読み取り手段と、
前記原稿読み取り手段で読み取った画像データを画像処理して画像記憶手段に記憶する画像処理手段と、
前記画像記憶手段から画像データを取り出し転写用紙上に転写して定着する画像転写定着手段と、
前記操作制御手段により手差し転写用紙が選択され、前記原稿搬送手段に原稿が挿入され転写が行われる場合に、前記操作制御手段により設定されたコピー変倍率と前記原稿サイズ検出手段により検出された原稿主走査サイズとの積を手差し転写用紙の主走査サイズと認識すると共に、前記転写用紙サイズ検出手段によって検出された実際に転写される手差し転写用紙の副走査長さを手差し転写用紙の副走査サイズと認識するシステム制御手段と、を具備し、
前記システム制御手段が、前記認識された手差し転写用紙の主走査サイズと副走査サイズに基づいて前記手差し転写用紙の大きさ別に前記手差し転写用紙の枚数をカウントするカウンタの更新を行うことを特徴とする画像形成装置。
【請求項３】
原稿より画像データを読み取って転写用紙上に転写定着して画像を形成する画像形成装置であって、
手差し転写用紙を使用する手差し転写モード等を指定する操作制御手段と、
手差し転写用紙等の給紙を行う給紙搬送手段と、
前記転写用紙の副走査長さを検出する転写用紙サイズ検出手段と、
前記原稿の搬送を行う原稿搬送手段と、
前記原稿の主走査方向のサイズを検出する原稿サイズ検出手段と、
前記原稿を読み取って画像データを得る原稿読み取り手段と、
前記原稿読み取り手段で読み取った画像データを画像処理して画像記憶手段に記憶する画像処理手段と、
前記画像記憶手段から画像データを取り出し転写用紙上に転写して定着する画像転写定着手段と、
前記操作制御手段により手差し転写用紙が選択され、前記原稿搬送手段に原稿が挿入され転写が行われる場合に、前もって設定された原稿の最大主走査サイズを手差し転写用紙の主走査サイズと認識すると共に、前記転写用紙サイズ検出手段によって検出された実際に転写される手差し転写用紙の副走査長さを手差し転写用紙の副走査サイズと認識するシステム制御手段と、を具備し、
前記システム制御手段が、前記認識された手差し転写用紙の主走査サイズと副走査サイズに基づいて前記手差し転写用紙の大きさ別に前記手差し転写用紙の枚数をカウントするカウンタの更新を行うことを特徴とする画像形成装置。
【発明の詳細な説明】
【技術分野】
【０００１】
この発明は、原稿より画像データを読み取って手差し転写用紙上に転写定着して画像を形成する画像形成装置に関し、特に、コピー開始前に手差し転写用紙サイズの指定を手動で行わなくても、自動で手差しコピーの用紙サイズ別ロギングを行うことができる画像形成装置に関するものである。
【背景技術】
【０００２】
一般に、手差し転写用紙を使用する手差し転写モード等を指定する操作制御部と、手差し転写用紙等の給紙を行う給紙搬送部と、前記原稿の搬送を行う原稿搬送部と、前記原稿を読み取って画像データを得る原稿読み取り部と、前記原稿読み取り部で読み取った画像データを画像処理して画像記憶部に記憶する画像処理部と、前記画像記憶部から画像データを取り出し手差し転写用紙上に転写して定着する画像転写定着部とを有し、原稿より画像データを読み取って手差し転写用紙上に転写定着して画像を形成する画像形成装置が知られている。
なお、先行技術としては、特開平６−３３７５６０号公報には、コピー用紙選択キー６０７でマルチ手差し部１５０が選択されたか否かを判断し、肯定判定ＹＥＳならば手差しでのコピーモードに入る。次に、コピー開始キー６０５が押されたか否かを判断し、肯定判定ＹＥＳならば手差しサイズ指定モードに入り、手差し副検知ボリューム１５３に関連したサイズ群がカーソルキー６２７を操作することで順次ＬＣＤディスプレイ７０１に表示され、ＯＫキー６２８による手差し指定の終了を待つ技術について開示されている。また、特開２００１−２２６０公報には、定型サイズの手差しコピー用紙を使用する場合、表示設定部において、リブによって位置決めされた手差しコピー用紙の角の真下に表示される定型サイズボタンの押下することにより、用紙長さが設定される。また、不定型サイズの手差しコピー用紙を使用する場合、表示設定部に表示される座標上を移動可能なマーカを移動ボタンを操作することによって、リブによって位置決めされた手差しコピー用紙の角の真下に表示される座標までマーカを移動することにより、用紙長さが設定される技術について開示されている。
【特許文献１】特開平６−３３７５６０号公報
【特許文献２】特開２００１−２２６０公報
【発明の開示】
【発明が解決しようとする課題】
【０００３】
しかしながら、上記従来の手差し転写用紙を用いる画像形成装置では、オペレータがコピー開始前に手差し用紙サイズを指定しなければならず操作が煩わしいという欠点があった。
ここで、オペレータがコピー開始前に手差し用紙サイズを指定しない場合、手差しコピーの用紙サイズ別ロギング（前記手差し転写用紙の大きさ別に前記手差し転写用紙の枚数をカウントするカウンタの更新）を行うことができないものであった。
本発明は、上記従来の問題点を解決するためになされたもので、その目的は、コピー開始前に手差し転写用紙サイズの指定を手動で行わなくても、自動で手差しコピーの用紙サイズ別ロギングを行うことができる画像形成装置を提供することである。
【課題を解決するための手段】
【０００４】
上述の目的を達成するために、請求項１記載の発明は、原稿より画像データを読み取って転写用紙上に転写定着して画像を形成する画像形成装置であって、手差し転写用紙を使用する手差し転写モード等を指定する操作制御手段と、手差し転写用紙等の給紙を行う給紙搬送手段と、前記転写用紙の副走査長さを検出する転写用紙サイズ検出手段と、前記原稿の搬送を行う原稿搬送手段と、前記原稿の主走査方向のサイズを検出する原稿サイズ検出手段と、前記原稿を読み取って画像データを得る原稿読み取り手段と、前記原稿読み取り手段で読み取った画像データを画像処理して画像記憶手段に記憶する画像処理手段と、前記画像記憶手段から画像データを取り出し転写用紙上に転写して定着する画像転写定着手段と、前記操作制御手段により手差し転写用紙が選択され、前記原稿搬送手段に原稿が挿入され転写が行われる場合に、前記原稿サイズ検出手段により検出された原稿主走査サイズを手差し転写用紙の主走査サイズと認識すると共に、前記転写用紙サイズ検出手段によって検出された実際に転写される手差し転写用紙の副走査長さを手差し転写用紙の副走査サイズと認識するシステム制御手段と、を具備し、前記システム制御手段が、前記認識された手差し転写用紙の主走査サイズと副走査サイズに基づいて前記手差し転写用紙の大きさ別に前記手差し転写用紙の枚数をカウントするカウンタの更新を行うことを特徴とする。
また、請求項２記載の発明は、原稿より画像データを読み取って転写用紙上に転写定着して画像を形成する画像形成装置であって、手差し転写用紙を使用する手差し転写モード等を指定すると共に、コピー変倍率を設定する操作制御手段と、手差し転写用紙等の給紙を行う給紙搬送手段と、前記転写用紙の副走査長さを検出する転写用紙サイズ検出手段と、前記原稿の搬送を行う原稿搬送手段と、前記原稿の主走査方向のサイズを検出する原稿サイズ検出手段と、前記原稿を読み取って画像データを得る原稿読み取り手段と、前記原稿読み取り手段で読み取った画像データを画像処理して画像記憶手段に記憶する画像処理手段と、前記画像記憶手段から画像データを取り出し転写用紙上に転写して定着する画像転写定着手段と、前記操作制御手段により手差し転写用紙が選択され、前記原稿搬送手段に原稿が挿入され転写が行われる場合に、前記操作制御手段により設定されたコピー変倍率と前記原稿サイズ検出手段により検出された原稿主走査サイズとの積を手差し転写用紙の主走査サイズと認識すると共に、前記転写用紙サイズ検出手段によって検出された実際に転写される手差し転写用紙の副走査長さを手差し転写用紙の副走査サイズと認識するシステム制御手段と、を具備し、前記システム制御手段が、前記認識された手差し転写用紙の主走査サイズと副走査サイズに基づいて前記手差し転写用紙の大きさ別に前記手差し転写用紙の枚数をカウントするカウンタの更新を行うことを特徴とする。
【０００５】
また、請求項３記載の発明は、原稿より画像データを読み取って転写用紙上に転写定着して画像を形成する画像形成装置であって、手差し転写用紙を使用する手差し転写モード等を指定する操作制御手段と、手差し転写用紙等の給紙を行う給紙搬送手段と、前記転写用紙の副走査長さを検出する転写用紙サイズ検出手段と、前記原稿の搬送を行う原稿搬送手段と、前記原稿の主走査方向のサイズを検出する原稿サイズ検出手段と、前記原稿を読み取って画像データを得る原稿読み取り手段と、前記原稿読み取り手段で読み取った画像データを画像処理して画像記憶手段に記憶する画像処理手段と、前記画像記憶手段から画像データを取り出し転写用紙上に転写して定着する画像転写定着手段と、前記操作制御手段により手差し転写用紙が選択され、前記原稿搬送手段に原稿が挿入され転写が行われる場合に、前もって設定された原稿の最大主走査サイズを手差し転写用紙の主走査サイズと認識すると共に、前記転写用紙サイズ検出手段によって検出された実際に転写される手差し転写用紙の副走査長さを手差し転写用紙の副走査サイズと認識するシステム制御手段と、を具備し、前記システム制御手段が、前記認識された手差し転写用紙の主走査サイズと副走査サイズに基づいて前記手差し転写用紙の大きさ別に前記手差し転写用紙の枚数をカウントするカウンタの更新を行うことを特徴とする。
【発明の効果】
【０００６】
本発明によれば、原稿主走査サイズを手差し転写用紙の主走査サイズとし、手差し転写用紙の副走査サイズは実際にコピーした手差し転写用紙の副走査長さとしているので、手差し転写用紙主走査サイズ検出用のサイズセンサを追加せず、かつ、自動で手差しの主走査サイズを決定できる。従って、安価で操作性に優れた手差し転写用紙のサイズ別ロギングを行うことの出来る画像形成装置を提供することができる。
また、他の発明によれば、手差し転写用紙の主走査サイズを「原稿主走査サイズ×変倍率」とし、手差し転写用紙の副走査サイズは実際にコピーした手差し転写用紙の副走査長さとしているので、デジタル複写機のように画像を変倍しコピーすることができる装置においても、手差し転写用紙主走査サイズ検出用のサイズセンサを追加せず、かつ、自動で手差し転写用紙の主走査サイズを決定でき、安価で操作性に優れた手差し用紙のサイズ別ロギングを行うことの出来る画像形成装置を提供することができる。
また、他の発明によれば、操作制御手段により、コピー時の原稿主走査サイズを原稿サイズ検出手段に依らず、前もって設定された原稿の最大主走査サイズを手差し転写用紙の主走査サイズとしているので、原稿サイズを最大サイズにしたコピーを行う場合、新たな設定を手動ですることなく、手差し用紙主走査サイズ検出用のサイズセンサを追加せず、かつ、自動で手差しの主走査サイズを決定でき、安価で操作性に優れた手差し用紙のサイズ別ロギングを行うことの出来る画像形成装置を提供することができる。
【発明を実施するための最良の形態】
【０００７】
以下に添付の図を参照してこの発明の実施形態を詳細に説明する。
【実施例】
【０００８】
図１は、本発明による広幅デジタル複写機（画像形成装置）の一実施形態の機能ブロック図である。
図１に示すように、この広幅デジタル複写機は、手差し転写モードを含む各種モードやコピー条件の操作を行う操作制御部２０と、操作制御部２０で設定されたコピー条件やエンジン制御部２６からの情報でコピー制御をコントロールするコピー制御部２１と、機械調整の設定などを行うＳＰ／ＵＰ制御部２２と、ＣＩＳやＬＥＤあるいは蛍光灯などの光源からなる原稿読取装置や原稿搬送用のステッピングモータなどからなる原稿ユニットから構成されるスキャナ制御部２４と、スキャナ制御部２４より読み取った原稿の画像データに対しての画像処理や画像記憶装置への画像データの入出力を行う画像処理部２５と、画像処理部２５から出力された画像データを感光体へ書き込みを行う書き込み制御部２７と、転写用紙としてのロール給紙やカセット給紙や手差し給紙を行う給紙搬送部や感光体に書き込まれた画像データを電子写真プロセスにて転写用紙に転写し定着処理を行う画像転写定着部を有するエンジン制御部２６とから構成されている。
なお、図１に示した広幅デジタル複写機の内部回路構成としては、図２に示すように、ＣＰＵ１０と、ＣＰＵ１０に接続されたＲＯＭ１１と、ＣＰＵ１０に接続されたＳ−ＲＡＭ１２と、ＣＰＵ１０に接続されたＮＶ−ＲＡＭ１３と、ＣＰＵ１０に接続された周辺ＩＣ１４等から成っている。図２は、図１に示した広幅デジタル複写機の内部回路構成図である。
【０００９】
次に、図３−図６を参照して、本発明による広幅デジタル複写機（画像形成装置）の一実施形態の動作について説明する。
ここで、図３は、本発明による広幅デジタル複写機（画像形成装置）の一実施形態の動作フローチャートであり、図４は、原稿のサイズを検出するための原稿サイズセンサの配置図であり、図５は、原稿サイズセンサと認識サイズとの関係を示すレイアウト図であり、図６は、原稿の搬送状態と転写紙の搬送状態を概略的に示す説明図である。
まず、手差しコピーは、コピー開始前に操作制御部２０にて手差し転写モードを選択した後（ステップ１０１）、原稿ユニットに原稿を挿入する事で開始となる。原稿ユニットに挿入された原稿は、原稿入口ローラ２０４（図６参照）に突き当たる。この時、原稿サイズセンサ２００および原稿入口センサ２０１がオン状態となる。ここで、原稿サイズセンサ２００は、図４に示すように、原稿の搬送方向（主走査方向）に対して垂直に複数設置されている。複数設置された原稿サイズセンサ２００Ａ−２００ＤのＯＮ状態の組合せにより、図５に示すように、挿入した原稿の主走査サイズが確定する。（ステップ１０４）
ここで、原稿主走査サイズは、原稿サイズセンサ２００により検出された原稿主走査サイズと、コピー開始前に操作制御部２０にて設定されたコピー変倍率との積を原稿主走査サイズとしても良い。ただし、この原稿主走査サイズの最大サイズは、読み取り最大サイズ（主走査９１４．４ｍｍ）としている。例えば、原稿読み取り最大主走査サイズ９１４．４ｍｍ、原稿主走査サイズ８４１ｍｍ、変倍率４００％の機械の場合では、８４１×４００×０．０１＝３３６４ｍｍよって、９１４．４ｍｍを越えるため９１４．４ｍｍとなる。
【００１０】
次に、原稿先端による原稿入口センサ２０１のオン状態が、一定時間継続すると（ステップ１０３）、スキャナ制御部２４は、原稿入口センサ２０１のオンの情報と原稿サイズ情報とから原稿主走査サイズを判別し、その原稿情報をシステム制御部２３へ通知する（ステップ１０４、１０５）。
システム制御部２３は、この２つの情報をコピー制御部２１へと通知すると、原稿挿入情報、原稿サイズ情報の通知を受けたコピー制御部２１は、スキャナ制御部２４に対して、原稿プレフィードの指示を行い（ステップ１０６）、原稿プレフィード指示を受けたスキャナ制御部２４は、原稿モータの駆動を開始する（ステップ１０７）。
原稿駆動は、原稿先端が原稿レジストセンサ２０２に到達する手前まで行われ、一時停止する（ステップ１０８、１０９）。スキャナ制御部２４は、原稿が一時停止した情報をシステム制御部２３へ通知し（ステップ１１０）、システム制御部２３は、コピー制御部２１へ、同情報を通知する。原稿一時停止の情報を受けたコピー制御部２１は、次にコピー動作を開始するための通知をシステム制御部２３へ行う。
コピー動作開始の情報は、その後、スキャナ制御部２４、画像処理部２５、エンジン制御部２６、書込制御部２７へ通知され（ステップ１１１）、コピー開始の情報を受けたスキャナ制御部２４は、原稿搬送制御を再開する（ステップ１１２）。
次に、原稿先端による原稿レジストセンサ２０２がオンされ（ステップ１１３）、一定距離が搬送されたならば（ステップ１１４）、読み取り制御用のゲート信号を画像処理部２５へ通知する（ステップ１１５）。このゲート信号により画像処理部２５は、先に認識した原稿主走査サイズ幅の画像データと原稿読み取りユニット２０５からの原稿画像を画像記憶装置へ記憶させる処理を開始し、原稿レジストセンサ２０２のオンにより、原稿長の測定を開始する（ステップ１１６）。
【００１１】
原稿搬送が進行し、原稿後端による原稿レジストセンサ２０２のオフが認識されると（ステップ１１７）、スキャナ制御部２４は原稿長の測定を終了し（ステップ１１８）、原稿長さを確定する。確定した原稿長さ情報は、システム制御部２３を介して、コピー制御部２１、エンジン制御部２６などに通知される。また、原稿レジストセンサ２０２のオフから一定距離が搬送されたならば（ステップ１１９）、読み取り制御用のゲート信号がクローズされる（ステップ１２０）。ゲート信号のクローズから原稿が一定距離が搬送されると原稿駆動が停止しスキャン動作が終了となる（ステップ１２１）。
原稿のスキャン終了で、手差し転写用紙の挿入が可能な状態となる。
ここで、手差し転写用紙は、手差し転写用紙挿入テーブル２３７より挿入され、挿入された転写用紙の先端により転写用紙入口センサ２３８がオンすると、エンジン制御部２６は、システム制御部２３に対して手差し転写用紙セットの情報を通知する（ステップ１２２）。システム制御部２３は、コピー制御部２１に手差し転写用紙セット情報を通知し、コピー制御部２１は、転写用紙セット情報の通知を受けて転写用紙に対するコピー動作開始指示をシステム制御部２３に対して発行し、システム制御部２３は、エンジン制御部２６にコピー開始を依頼し、これにより、手差し転写用紙は搬送を開始する（ステップ１２３）。
搬送の開始された実際にコピーされる手差し転写用紙が転写用紙レジストセンサ２２１をオンからオフする間での時間やモータパルス数により、手差し用紙の副走査長の測定が行われ（ステップ１２４）、転写用紙レジストセンサ２２１がオンから一定時間経過すると画像記憶装置に蓄積されている画像データが、書き込みユニット２１０、現像器２１１、感光体２２２、転写分離ユニット２２３を用いた電子写真プロセスにより手差し転写用紙にコピーされる（ステップ１２５）。
ここで、この実施形態では、システム制御部２３は、上記ステップ１０４において検出された原稿主走査サイズを手差し転写用紙の主走査サイズと認識すると共に、上記ステップ１２４において検出された実際に転写される手差し転写用紙の副走査長さを手差し転写用紙の副走査サイズと認識する。
転写された手差し転写用紙の後端が定着器２２４の下流にある転写用紙排出センサ２２５を通過すると、システム制御部２３は、コピーが正常に排出されたと認織するが、ここで、システム制御部２３は、正常コピーの終了にて、上記システム制御部２３によって認識された手差し転写用紙の主走査サイズおよび副走査サイズに基づいて、ＮＶ−ＲＡＭ１３に用意された手差し転写用紙の大きさ別に枚数をカウントするトータルカウンタの更新（サイズ別ロギング）を行う（ステップ１２６）。
【００１２】
すなわち、この実施形態では、手差し転写用紙の転写用紙サイズは、その主走査サイズを原稿主走査サイズとし、副走査サイズを手差し用紙の副走査長として、今回正常に終了した手差しコピーの用紙サイズ別ロギングを行う。
また、他の実施形態として、原稿主走査サイズは、操作制御部２０にて原稿主走査サイズを原稿サイズセンサによる自動認識ではなく「常に最大読み取りサイズ」と設定しておくこともできる。これにより、この「常に最大読み取リサイズ」設定が行われている場合での手差しコピーにおいては、手差し転写用紙の主走査サイズも最大主走査サイズとして、手差し転写用紙サイズ別ロギングを行う。
【図面の簡単な説明】
【００１３】
【図１】本発明による広幅デジタル複写機（画像形成装置）の一実施形態の機能ブロック図。
【図２】図１に示した広幅デジタル複写機の内部回路構成図。
【図３】本発明による広幅デジタル複写機（画像形成装置）の一実施形態の動作フローチャート。
【図４】原稿のサイズを検出するための原稿サイズセンサの配置図。
【図５】原稿サイズセンサと認識サイズとの関係を示すレイアウト図。
【図６】原稿の搬送状態と転写紙の搬送状態を概略的に示す説明図。
【符号の説明】
【００１４】
１０…ＣＰＵ、１１…ＲＯＭ、１２…ＲＡＭ、１３…ＲＡＭ、１４…ＩＣ、２０…操作制御部、２１…コピー制御部、２２…制御部、２３…システム制御部、２４…スキャナ制御部、２５…画像処理部、２６…エンジン制御部、２７…制御部、２７…書込制御部、２００…原稿サイズセンサ、２００Ａ…原稿サイズセンサ、２０１…原稿入口センサ、２０２…原稿レジストセンサ、２０４…原稿入口ローラ、２１１…現像器、２２１…用紙レジストセンサ、２２２…感光体、２２３…転写分離ユニット、２２４…定着器、２２５…転写用紙排出センサ、２３７…転写用紙挿入テーブル、２３８…転写用紙入口センサ
【図１】
2006065252.tif 000003
【図２】
2006065252.tif 000004
【図３】
2006065252.tif 000005
【図４】
2006065252.tif 000006
【図５】
2006065252.tif 000007
【図６】
2006065252.tif 000008